【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
下記を具備した、無線通信システムにおいて、移動局との通信が途絶えることを避けるための方法、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信すること、
前記発信システムで前記パラメータデータを受信すること、
新しい周波数でアクティブセットを決定するために前記パラメータデータを使用すること、
前記発信システムで、前記パラメータデータに従ってサーチ・リストを形成すること、
前記サーチ・リストに従って前記宛て先システムを捕捉することを、前記移動局により試みること、
前記宛て先システムを捕捉する不成功な試みの後に、所定の時間間隔待機すること、及び
所定の時間間隔待機する前記工程の後に続いて前記宛て先システムを捕捉することを、前記移動局により再度試みること。
【請求項２】
前記移動局において前記パラメータデータを測定する工程をさらに具備する、請求項１に記載された方法。
【請求項３】
前記パラメータデータを測定する前記工程は、前記宛て先システムのパイロット信号からの信号エネルギを測定することを具備する、請求項２に記載された方法。
【請求項４】
前記パラメータデータを測定する前記工程は、サーチ・パラメータの所定のセットにしたがって実行される、請求項２に記載された方法。
【請求項５】
前記サーチ・パラメータの所定のセットは、前記発信システムにより前記移動局に送信される、請求項４に記載された方法。
【請求項６】
前記発信システムから前記移動局に前記サーチ・リストを送信することをさらに具備する、請求項１に記載された方法。
【請求項７】
前記宛て先システムを捕捉することを再度試みる前記工程は、前記サーチ・リストにしたがって実行される、請求項１に記載された方法。
【請求項８】
前記発信システムおよび前記宛て先システムは異なる周波数帯域で動作する、請求項１に記載された方法。
【請求項９】
宛て先システムへのハンドオフが完了しない場合、発信システムに戻るかを否かを示す工程をさらに具備する、請求項１に記載された方法。
【請求項１０】
前記宛て先システム内の各特定された基地局と関連するビットが設定されるか否かを決定し、そして該ビットが設定される各特定された基地局と関連するパイロット信号をサーチする工程をさらに具備する、請求項１に記載された方法。
【請求項１１】
移動局へデータを送信するために現在設定される、サーチされるべき前記宛て先システム内のセルのリストを有する制御データを提供する工程をさらに具備する、請求項１に記載された方法。
【請求項１２】
前記宛て先システムを捕捉することを再度試みる前記工程が不成功である場合に、前記発信システムに再度接続する工程をさらに具備する、請求項１に記載された方法。
【請求項１３】
移動装置が発信システムに戻るときに、送信のために移動局が宛て先システムに同調されると、使用される少なくとも１つのエラーインディケータ・ビットを記憶する工程をさらに具備する、請求項１２に記載された方法。
【請求項１４】
下記を具備した、無線通信システムにおいて、移動局との通信が途絶えることを避けるための方法、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信すること、
前記発信システムで前記パラメータデータを受信すること、
新しい周波数でアクティブセットを決定するために前記パラメータデータを使用すること、
前記発信システムで、前記パラメータデータに従ってサーチ・リストを形成すること、
前記サーチ・リストに従って前記宛て先システムを捕捉することを、前記移動局により試みること、
発信システムに再度接続する前記工程の後に続いて、ある期間の間に受信されたパワー制御ビットへの応答を禁じること。
【請求項１５】
下記を具備した、無線通信システムにおいて、移動局との通信が途絶えることを避けるための装置、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信するための手段、
前記発信システムで前記パラメータデータを受信するための手段、
新しい周波数でアクティブセットを決定するために前記パラメータデータを使用するための手段、
前記発信システムで、前記パラメータデータに従ってサーチ・リストを形成するための手段、
前記サーチ・リストに従って前記宛て先システムを捕捉することを、前記移動局により試みるための手段、
前記宛て先システムを捕捉する不成功な試みの後に、所定の時間間隔待機するための手段、及び
前記所定の時間間隔待機することの後に続いて前記宛て先システムを捕捉することを、前記移動局により再度試みるための手段。
【請求項１６】
前記移動局において前記パラメータデータを測定するための手段をさらに具備する、請求項１５に記載された装置。
【請求項１７】
前記パラメータデータを測定するための前記手段は、前記宛て先システムのパイロット信号からの信号エネルギを測定するための手段を具備する、請求項１６に記載された装置。
【請求項１８】
前記パラメータデータを測定するための前記手段は、サーチ・パラメータの所定のセットにしたがって実行される、請求項１６に記載された装置。
【請求項１９】
前記サーチ・パラメータの所定のセットは、前記発信システムにより前記移動局に送信される、請求項１８に記載された装置。
【請求項２０】
前記発信システムから前記移動局に前記サーチ・リストを送信するための手段をさらに具備する、請求項１５に記載された装置。
【請求項２１】
前記宛て先システムを捕捉することを再度試みるための前記手段は、前記サーチ・リストにしたがって実行される、請求項１５に記載された装置。
【請求項２２】
前記発信システムおよび前記宛て先システムは異なる周波数帯域で動作する、請求項１５に記載された装置。
【請求項２３】
宛て先システムへのハンドオフが完了しない場合、発信システムに戻るかを否かを示すための手段をさらに具備する、請求項１５に記載された装置。
【請求項２４】
前記宛て先システム内の各特定された基地局と関連するビットが設定されるか否かを決定し、そして該ビットが設定される各特定された基地局と関連するパイロット信号をサーチするための手段をさらに具備する、請求項１５に記載された装置。
【請求項２５】
移動局へデータを送信するために現在設定される、サーチされるべき前記宛て先システム内のセルのリストを有する制御データを提供するための手段をさらに具備する、請求項１５に記載された装置。
【請求項２６】
前記宛て先システムを捕捉することを再度試みることが不成功である場合に、前記発信システムに再度接続するための手段をさらに具備する、請求項１５に記載された装置。
【請求項２７】
移動装置が発信システムに戻るときに、送信のために移動局が宛て先システムに同調されると、使用される少なくとも１つのエラーインディケータ・ビットを記憶するための手段をさらに具備する、請求項２６に記載された装置。
【請求項２８】
下記を具備した、無線通信システムにおいて、移動局との通信が途絶えることを避けるための装置、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信するための手段、
前記発信システムで前記パラメータデータを受信するための手段、
新しい周波数でアクティブセットを決定するために前記パラメータデータを使用するための手段、
前記発信システムで、前記パラメータデータに従ってサーチ・リストを形成するための手段、
前記サーチ・リストに従って前記宛て先システムを捕捉することを、前記移動局により試みるための手段、
前記発信システムに再度接続することの後に続いて、ある期間の間に受信されたパワー制御ビットへの応答を禁じるための手段。
【請求項２９】
下記を具備した、無線通信システムにおいて、移動局との通信が途絶えることを避けるための方法、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信すること、
前記発信システムで前記パラメータデータを受信すること、
新しい周波数でアクティブセットを決定するために前記パラメータデータを使用すること、
前記発信システムで、前記パラメータデータに従ってサーチ・リストを形成すること、
前記サーチ・リストに従って前記宛て先システムを捕捉することを、前記移動局により試みること、
インディケータが設定されるかどうかを決定すること、および
前記設定されたインディケータに応答してパイロット信号をサーチすること、
ここにおいて、制御データは、各特定された基地局と関連するパイロット信号に関連するインディケータを備え、該装置は該インディケータが設定されたか否かを決定する手段と、設定されたインディケータに応じてパイロット信号をサーチするための手段とを備える。
【請求項３０】
下記を具備した、無線通信システムにおいて、移動局との通信が途絶えることを避けるための方法、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信すること、
前記発信システムで前記パラメータデータを受信すること、
新しい周波数でアクティブセットを決定するために前記パラメータデータを使用すること、
前記発信システムで、前記パラメータデータに従ってサーチ・リストを形成すること、
前記サーチ・リストに従って前記宛て先システムを捕捉することを、前記移動局により試みること、
閾値の不必要な減少を阻止するために、記号エネルギー閾値を制御すること。
【請求項３１】
下記を具備した、無線通信システムにおいて、移動局との通信が途絶えることを避けるための装置、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信するための手段、
前記発信システムで前記パラメータデータを受信するための手段、
新しい周波数でアクティブセットを決定するために前記パラメータデータを使用するための手段、
前記発信システムで、前記パラメータデータに従ってサーチ・リストを形成するための手段、
前記サーチ・リストに従って前記宛て先システムを捕捉することを、前記移動局により試みるための手段、
インディケータが設定されるかどうかを決定するための手段、および
前記設定されたインディケータに応答してパイロット信号をサーチするための手段、
ここにおいて、制御データは、各特定された基地局と関連するパイロット信号に関連するインディケータを備え、該装置は該インディケータが設定されたか否かを決定する手段と、設定されたインディケータに応じてパイロット信号をサーチするための手段とを備える。
【請求項３２】
下記を具備した、無線通信システムにおいて、移動局との通信が途絶えることを避けるための装置、ここにおいて、移動局は発信システムによりカバーされるエリアから、宛て先システムによりカバーされるエリアに移動しており、そして、前記宛て先システムの捕捉を試みて失敗している：
前記移動局から前記発信システムへ一組のパラメータデータを送信するための手段、
前記発信システムで前記パラメータデータを受信するための手段、
新しい周波数でアクティブセットを決定するために前記パラメータデータを使用するための手段、
前記発信システムで、前記パラメータデータに従ってサーチ・リストを形成するための手段、
前記サーチ・リストに従って前記宛て先システムを捕捉することを、前記移動局により試みるための手段、
閾値の不必要な減少を阻止するために、記号エネルギー閾値を制御するための手段。